(57)【要約】フィルムは、架橋高分子スペーシング層で隔てられ、かつそのフィルムが可視光透過性および赤外線反射性であるような厚さをもった第１および第２の金属または合金層を含有する。このフィルムを、金属または合金層が損傷または変形される可能性が低い状態で、グレージング（特に、非平面状の車両用安全グレージング）内に接合または積層させることができる。
2005535475.tif 000002
【特許請求の範囲】
【請求項１】
ａ）可視光透過性の支持体を提供する工程と、
ｂ）前記支持体の上に可視光透過性の第１の金属または合金層を形成する工程と、
ｃ）前記第１の金属または合金層の上に、有機スペーシング層を形成する工程と、
ｄ）前記スペーシング層を架橋させる工程と、
ｅ）前記有機スペーシング層の上に、可視光透過性の第２の金属または合金層を形成する工程と、
を含むフィルムの製造方法であって、前記第１および第２の金属または合金層ならびに前記架橋スペーシング層の厚さが、前記フィルムが可視光透過性および赤外線反射性であるような厚さである、フィルムの製造方法。
【請求項２】
前記スペーシング層が、放射線架橋可能なモノマーのフラッシュ蒸発、蒸着および架橋によって形成される、請求項１に記載の方法。
【請求項３】
前記金属または合金層が銀を含み、前記スペーシング層がアクリレートポリマーを含む、請求項１に記載の方法。
【請求項４】
前記支持体と前記第１の金属または合金層との間にベースコート層を形成する工程を更に含む、請求項１に記載の方法。
【請求項５】
前記フィルムが伸展性である、請求項１に記載の方法。
【請求項６】
前記フィルム内の前記金属または合金層と隣接層との間の界面を変性し、層間の接着力を高める工程を更に含む、請求項１に記載の方法。
【請求項７】
前記フィルム内のそれぞれの金属または合金層と隣接層との間にプラズマ処理が用いられる、請求項６に記載の方法。
【請求項８】
前記金属または合金層のクラックや折り目を実質的に生じることなく、前記フィルムを伸長させる工程を更に含む、請求項１に記載の方法。
【請求項９】
前記フィルムが、加熱されるとき、２つの面内方向において異なる収縮を示す、請求項８に記載の方法。
【請求項１０】
前記フィルムと、少なくとも１つの機械エネルギー吸収材料層とを一緒に加熱および接合して、安全グレージング予備積層体を提供する工程を更に含む、請求項１に記載の方法。
【請求項１１】
ａ）グレージング材料層と、架橋高分子スペーシング層で隔てられた第１および第２の金属または合金層を含む可視光透過性および赤外線反射性フィルムとを組み立てる工程と、
ｂ）前記グレージング材料とフィルムとを一緒に結合して単一の物品にする工程と、
を含む、グレージング物品の製造方法。
【請求項１２】
前記グレージング材料がガラスを含み、前記物品が、前記フィルムと前記ガラスとの間に接着剤層を更に含む、請求項１１に記載の方法。
【請求項１３】
ａ）第１のグレージング材料層と、第１の機械エネルギー吸収層と、架橋高分子スペーシング層で隔てられた第１および第２の金属または合金層を含む可視光透過性および赤外線反射性フィルム層と、第２の機械エネルギー吸収層と、第２のグレージング材料層とを組み立てる工程と、
ｂ）前記層の間から残留空気を除去する工程と、
ｃ）前記層を加熱および加圧して、前記層を一緒に結合して単一の物品にする工程と、
を含む、積層物品の製造方法。
【請求項１４】
前記残留空気の除去または前記層の加圧が、少なくとも１つのニップロールを用いて実行される、請求項１３に記載の方法。
【請求項１５】
前記グレージング材料層が非平面状である、請求項１４に記載の方法。
【請求項１６】
前記フィルムのクラック、折り目またはしわが実質的に生じることなく、前記層が一緒に結合される、請求項１５に記載の方法。
【請求項１７】
前記スペーシング層が、放射線架橋可能なモノマーのフラッシュ蒸発、蒸着および架橋によって形成される、請求項１３に記載の方法。
【請求項１８】
前記スペーシング層がアクリレートポリマーを含む、請求項１３に記載の方法。
【請求項１９】
第１および第２の金属または合金層を含むフィルムであって、それらの層が、架橋高分子スペーシング層で隔てられ、かつ前記フィルムが可視光透過性および赤外線反射性であるような厚さを有する、フィルム。
【請求項２０】
可撓性プラスチック支持体を更に含む、請求項１９に記載のフィルム。
【請求項２１】
前記支持体と前記第１の金属または合金層との間に、高分子ベースコート層を更に含む、請求項２０に記載のフィルム。
【請求項２２】
前記フィルム内の前記金属または合金層と隣接層との間の界面に接着強化処理が施されているか、あるいは隣接層のうちの１つまたは複数が接着強化補助剤を含み、それによって層間の接着力が増大される、請求項２０に記載のフィルム。
【請求項２３】
前記金属または合金層および隣接層のそれぞれにプラズマ処理が施されている、請求項２２に記載のフィルム。
【請求項２４】
前記フィルムが伸長される、請求項２０に記載のフィルム。
【請求項２５】
前記第２の金属層の上に、追加の架橋高分子スペーシング層と追加の金属または合金層との１つまたは複数の対を更に含む、請求項１９に記載のフィルム。
【請求項２６】
前記金属または合金層が銀を含み、前記スペーシング層がアクリレートポリマーを含む、請求項１９に記載のフィルム。
【請求項２７】
実質的にしわになることなく自動車用ウィンドシールド内に積層することができる、請求項１９に記載のフィルム。
【請求項２８】
架橋高分子スペーシング層で隔てられた第１および第２の金属または合金層を含む可視光透過性および赤外線反射性フィルムに接合された少なくとも１つの機械エネルギー吸収材料層を含む、安全グレージング予備積層体。
【請求項２９】
架橋高分子スペーシング層で隔てられた第１および第２の金属または合金層を含む可視光透過性および赤外線反射性フィルムに接合された少なくとも１つのグレージング材料層を含む、グレージング物品。
【請求項３０】
前記フィルム内の前記金属または合金層と隣接層との間の界面に接着強化処理が施されているか、あるいは隣接層のうちの１つまたは複数が接着強化補助剤を含み、それによって層間の接着力が増大される、請求項２９に記載の物品。
【請求項３１】
前記金属または合金層もしくは隣接層のうちの１つまたは複数にプラズマ処理が施されている、請求項３０に記載の物品。
【請求項３２】
前記金属または合金層が銀を含み、前記スペーシング層がアクリレートポリマーを含む、請求項３０に記載の物品。
【請求項３３】
前記グレージング材料が非平面状のガラスを含み、前記物品が光学的に透明であり、かつ赤外線反射性である、請求項３０に記載の物品。
【請求項３４】
ウィンドシールドを含む、請求項３０に記載の物品。
【請求項３５】
建築用グレージングを含む、請求項３０に記載の物品。
【請求項３６】
架橋高分子スペーシング層で隔てられた第１および第２の金属または合金層を含む可視光透過性および赤外線反射性フィルムを含む、少なくとも１つのウィンドシールド、バックライト、サイドウィンドウまたはスカイライトを含むグレージングを備えた車両。
【請求項３７】
前記金属または合金層が銀を含み、前記スペーシング層がアクリレートポリマーを含む、請求項３６に記載の車両。
【発明の詳細な説明】
【技術分野】
【０００１】
本発明は、赤外線反射フィルムと、それから製造される光学物品とに関する。
【背景技術】
【０００２】
グレージング材料は、グレージングの性能を高めるように設計された１つまたは複数の機能層を含有することがある。１つの重要な機能層は、赤外放射の透過を減少させる。赤外線除去（ｉｎｆｒａｒｅｄ−ｒｅｊｅｃｔｉｎｇ）機能層は、通常、不要な太陽輻射を反射または吸収する半透明のメタライズドポリマーフィルム構成または染色ポリマーフィルム構成で製造される。このような機能層について記載する参考文献としては、米国特許第４，５９０，１１８号明細書、同第４，６３９，０６９号明細書、および同第４，７９９，７４５号明細書が挙げられる。
【０００３】
赤外線除去機能層は、車両用安全グレージングにおいて特に重要である。従来の車両用安全グレージングは、２つの剛性層、通常はガラスと、耐引裂性の機械エネルギー吸収中間層、通常は可塑化ポリビニルブチラール（「ＰＶＢ」）との積層体である。グレージングの作製は、ＰＶＢ層をガラス層の間に配置し、係合表面から空気を除去してから、アセンブリをオートクレーブ内で高い温度および圧力にさらし、ＰＶＢおよびガラスを融着させて光学的に透明な構造にすることによって行なわれる。得られた安全グレージングは、例えば、自動車、飛行機、列車、またはその他の車両において使用することができる。
【０００４】
赤外除去機能層がウィンドシールドで使用される場合、規則により、完成した積層体は、少なくとも７０％の光透過率（ＡＳＴＭ  Ｅ３０８に従って測定）を有することが要求される。サイドウィンドウ、バックライト、またはサンルーフなどの他の車両用グレージング構造において、あるいは建築用グレージングなどの他の用途において使用される場合は、通常、可視透過性のレベルに対して規側による制限はない。いずれにしても、積層体は、好ましくは、スペクトルの可視部分の外側の関心のある波長領域において太陽輻射のかなりの部分を除去すべきであり、例えば、約７００ｎｍ〜約２，０００ｎｍの間の少なくとも１００ｎｍ幅のバンドにおいて少なくとも５０％の光を除去すべきである。
【０００５】
図１Ａは、１つまたは複数のガラスシートに結合されて車両用安全グレージング積層体を製造することができる従来の予備積層構造１０を示す。予備積層体１０は、可撓性プラスチック支持体層１４およびメタライズド層１６を有する反射機能層１２を含有する。機能層１２は、少なくとも１つのＰＶＢ層１８に、少なくとも一面で結合される。任意で、機能層１２は第２のＰＶＢ層２０に結合されてもよい。ＰＶＢ層１８、２０の一方または他方もしくは両方は、追加の性能強化層を含むことができる。例えば、ＰＶＢ層２０は、任意で、シェードバンド層２２を含有することができる。
【０００６】
図１Ｂを参照すると、予備積層体１０は、従来、少なくとも１つ、好ましくは２つのガラスシート３０、３２と整合されて、車両用安全グレージング積層体３４を形成する。予備積層体１０をガラスシート３０、３２へ結合させるために、予備積層体１０およびシート３０、３２は一緒に配置されて加熱され、ＰＶＢ層１８、２０および機能層１２をガラスシート３０、３２の輪郭に適合させる。この結合および加熱方法は、通常、真空脱気法またはニップロール法を用いて実行される。真空脱気法では、真空システムに接続されたバッグ内に積層体全体を入れ（あるいは、可撓性の密閉バンドまたはリングを積層体のエッジのまわりに配置して真空システムへ接続し）、積層体を加熱しながら真空に引き、これによりガラスＰＶＢ界面から空気を除去し、ガラスをＰＶＢへ一時的に結合させる。ニップロール法は、通常はニップロールと呼ばれる１つまたは複数の加圧ローラ装置を用い、積層体へ圧力を加えて脱気して、層の間の結合を促進する。真空脱気法またはニップロール法のいずれの場合も、積層方法は通常、圧力下、オートクレーブ内で積層体アセンブリを加熱することにより完了される。真空脱気法と比較して、ニップロール法はより少ない手動工程を必要とし、積層体がより速く組み立てられるのを可能にする。少なくともこれらの理由で、ニップロール法は多くの自動車用グレージング製造業者にとって好ましい積層方法である。
【発明の開示】
【発明が解決しようとする課題】
【０００７】
車両の空気力学を向上させ、外側の視界を改善するために、多くの車両用ウィンドウの形状は平面ではなく、次第に、厳しい角度および複雑な曲線を含む。予備積層体１０が複雑に湾曲したガラスシートの間に配置される場合、特にガラスシートが大きいか、あるいはニップロール法が使用される場合には、機能層１２は複雑な曲線に常に適切に適合するとは限らない。しわ、折り目、またはひだが機能層１２に形成され得る。機能層１２がメタライジングされている場合、ニップローリングの間にメタライズド層１６にクラックが形成される可能性があり、安全グレージングに光学的な欠陥が生じる。現在のところ、ニップロール積層は、通常、湾曲を有さないか、あるいは適度な一次元的湾曲のみを有する小さいメタライズド積層体に制限される。
【０００８】
特に有用な赤外線除去機能層は、赤外線除去ファブリー−ペロー四分の一波長スタックから形成することができる。このようなスタックでは、透明な誘電スペーシング層が２つ以上の薄い部分反射性金属または合金層を隔てる。金属または合金層（本明細書では、略して「金属層」と称することもあり得る）は、通常、元素または合金の銀、銅または金を含む。誘電層は、通常、無機酸化物（有機溶液から施されるか、あるいはスパッタ蒸着を用いて施される）または有機ポリマー（ポリマーを溶媒溶液中に溶解させて施される）を含む。誘電層の光学的厚さ（誘電層の物理的厚さ×その面内の屈折率と定義される）は、好ましくは、所望の通過帯域の中心波長の約１／４である。その波長が通過帯域内にある光は、大部分は、金属薄層を透過する。その波長が通過帯域より上の光は、大部分は、金属薄層により反射されるか、あるいは相殺的干渉のために抑制される。例えば建築用および車両用の安全グレージングなどのグレージング中に、赤外線除去ファブリー−ペロースタックを含む機能層を含有させるための試みが成されている。しかしながら、これらの試みは、限られた成功しか得られていない。非平面状グレージングの製造は特に困難である。これらの困難は、一つには、１つまたは複数のスタック層の脆弱性によって、金属層が腐食する傾向によって、あるいは積層、オートクレービンク、およびそれに続くグレージングの使用の間に起こる伸長、加熱および冷却により発生される金属層間の距離の局部的な変化によって起こり得ると確信される。これらの困難は、機能層がＰＶＢに隣接して配置される場合に悪化されると確信される。ＰＶＢシートは、通常、大量の可塑剤および他の補助剤を含有する。これらの補助剤は赤外線除去機能層内に移動し、金属層間の距離の局部的変化をもたらし得る腐食、膨潤またはその他の効果を引き起こす可能性があると確信される。
【課題を解決するための手段】
【０００９】
架橋されたポリマーから誘電層を形成することによって、ファブリー−ペロースタックを含有する積層機能層を非平面状グレージング内にうまく積層できることが分かった。結果は、誘電層が完全に無機材料から形成されるか、あるいは完全に非架橋有機材料から形成される場合に得られるよりもはるかに優れているようである。また、フィルム内の薄い金属層と隣接層との間の界面を変性して層間の接着力を高めることによって、更なる改善が得られることもわかった。
【００１０】
本出願は、
ａ）可視光透過性の支持体を提供する工程と、
ｂ）前記支持体の上に、可視光透過性の第１の金属または合金層を形成する工程と、
ｃ）前記第１の金属または合金層の上に、有機スペーシング層を形成する工程と、
ｄ）前記スペーシング層を架橋させる工程と、
ｅ）前記有機スペーシング層の上に、可視光透過性の第２の金属または合金層を形成する工程と、
を含むフィルムの製造方法であって、前記第１および第２の金属または合金層ならびに前記架橋スペーシング層の厚さは、前記フィルムが可視光透過性かつ赤外線反射性であるような厚さである方法を開示する。
【００１１】
また本出願は、グレージング材料層と、架橋高分子スペーシング層で隔てられた第１および第２の金属または合金層を含む可視光透過性および赤外線反射性フィルムとを組み立てる工程と、前記グレージング材料およびフィルムを一緒に結合して単一の物品にする工程とを含む、グレージング物品の製造方法も開示する。
【００１２】
更に、本出願は、
ａ）第１のグレージング材料層と、第１の機械エネルギー吸収層と、架橋高分子スペーシング層で隔てられた第１および第２の金属または合金層を含む可視光透過性および赤外線反射性フィルム層と、第２の機械エネルギー吸収層と、第２のグレージング材料層とを組み立てる工程と、
ｂ）前記層の間から残留空気を除去する工程と、
ｃ）前記層を加熱および加圧し、前記層を一緒に結合して単一の物品にする工程と、
を含む、積層物品の製造方法を開示する。
【００１３】
また本出願は、架橋高分子スペーシング層で隔てられ、前記フィルムが可視光透過性および赤外線反射性であるような厚さを有する第１および第２の金属または合金層を含むフィルムも開示する。
【００１４】
更に、架橋高分子スペーシング層で隔てられた第１および第２の金属または合金層を含む可視光透過性および赤外線反射性フィルムに接合された少なくとも１つの機械エネルギー吸収材料層を含む安全グレージング予備積層体が開示される。
【００１５】
更に、架橋高分子スペーシング層で隔てられた第１および第２の金属または合金層を含む可視光透過性および赤外線反射性フィルムに接合された少なくとも１つのグレージング材料層を含むグレージング物品が開示される。
【００１６】
更に、架橋高分子スペーシング層で隔てられた第１および第２の金属または合金層を含む可視光透過性および赤外線反射性フィルムを含む、少なくとも１つのウィンドシールド、バックライト、サイドウィンドウ、またはスカイライトを含むグレージングを有する車両が開示される。
【００１７】
上記の一般的な概要は、本書の読者の利便性のために提供される。時により補正が行なわれるが、本発明の範囲は特許請求の範囲によって定義されるので、上記の概要は添付される特許請求の範囲と置換えまたは混同されてはならない。
【００１８】
ところで、図面において、様々な図における同様の参照記号は同様の要素を示す。図面中の要素は一定の拡大比ではない。
【発明を実施するための最良の形態】
【００１９】
本発明のフィルムまたは物品中の様々な層の位置に対して「頂上」、「上」、「最上」などの方向性の単語を使用することによって、１つまたは複数の層の、水平の支持体層に対する相対的な位置が言及される。フィルムまたは物品が、その製造中または製造後に空間的に特定の方向性を有すべきことを意図するものではない。
【００２０】
「架橋」ポリマーとは、通常は架橋分子または架橋基を介する化学的な共有結合によりポリマー鎖が結合されて、ネットワークポリマーが形成されたポリマーを意味する。架橋ポリマーは、一般に不溶性によって特徴付けられるが、適切な溶媒の存在下では膨潤可能であろう。「ポリマー」という用語は、ホモポリマーおよびコポリマーと、例えば同時押出しによって、あるいは反応（例えば、エステル交換を含む）によって混和性ブレンドに形成され得るホモポリマーまたはコポリマーとを含む。「コポリマー」という用語は、ランダムコポリマーおよびブロックコポリマーの両方を含む。
【００２１】
「伸展性」の金属または合金層とは、可視光透過性フィルム内に取り込まれたときに、電気的連続性を損失せずに面内の方向に少なくとも３％伸長されることが可能であり、約０．２５メートルの距離で肉眼により検出されるような可視的な不連続が金属または合金層の表面に形成されない層を言及する。
【００２２】
「可視光透過性」の支持体、層、フィルムまたは物品とは、支持体、層、フィルムまたは物品が、スペクトルの可視部分において、法線軸に沿って測定される少なくとも約２０％の透過性Ｔvisを有することを意味する。「赤外線反射性」の支持体、層、フィルムまたは物品とは、支持体、層、フィルムまたは物品が、約７００ｎｍ〜約２０００ｎｍの波長領域の少なくとも１００ｎｍ幅のバンドにおいて、法線に近い角度（例えば、約６°の入射角度）で測定される少なくとも約５０％の光を反射することを意味する。「光」とは、太陽輻射を意味する。
【００２３】
「非平面状」の表面または物品（例えば、ガラスまたは他のグレージング材料の）とは、表面または物品が連続的、断続的、一方向性または複合的な湾曲を有することを意味する。「複合的な湾曲」を有する表面または物品とは、表面または物品が、単一の点から２つの異なる非直線的な方向に湾曲することを意味する。
【００２４】
「実質的にクラックや折り目がない」とは、約１メートルの距離、好ましくは約０．５メートルの距離で肉眼により検出されるような可視的な不連続がフィルムもしくは可視的な金属または合金層の表面にない、物品中に積層されたフィルムを言及する。「実質的にしわがない」とは、約１メートルの距離、好ましくは約０．５メートルの距離で肉眼を用いて検出されるような平滑フィルム表面の収縮から生じる小さい隆起や溝がない、物品中に積層されたフィルムを言及する。「光学的に透明」とは、約１メートルの距離、好ましくは約０．５メートルの距離で肉眼により検出されるような目に見えて顕著な変形、曇りまたはキズが存在しない積層物品を言及する。
【００２５】
図２を参照すると、フィルムは全体として１１０で示される。フィルム１１０は、ポリエチレンテレフタレート（「ＰＥＴ」）などの透明な可撓性プラスチックフィルムから製造される支持体１１２を含む。支持体１１２の上には、ファブリー−ペロー干渉スタック１１４が位置する。スタック１１４には、銀で製造される第１の薄い層１１６と、架橋アクリレートポリマーで製造される架橋高分子スペーシング層１１８と、銀で製造される第２の薄い金属層１２０とが含まれる。スタック１１４の上には架橋アクリレートポリマーで製造される任意の保護層１２２が位置する。
【００２６】
図３には、もう１つのフィルムが全体として１３０で示される。フィルム１３０はフィルム１１０に似ているが、支持体１１２とスタック１１４との間に、架橋アクリレートポリマーから製造されるベースコート層１３２を含む。
【００２７】
図４は予備積層体１４０を示す。予備積層体１４０は、フィルム１３０の保護層１２２に接合されたＰＶＢで製造される機械エネルギー吸収層１３４を含む。
【００２８】
図５は、もう１つの予備積層体１５０を示す。予備積層体１５０は、フィルム１４０の支持体１１２に接合された第２の機械エネルギー吸収層１３４を含む。これは、図４に示される予備積層体よりも耐久性の高い予備積層体を提供する。
【００２９】
図６は、積層された安全ウィンドシールド１６０の断面図を示す。ウィンドシールド１６０は連続的に湾曲した表面を有し、その曲率半径は、ウィンドシールド１６０の中心領域付近（図６では、破線のみで示される）では比較的大きいが、ウィンドシールド１６０のより鋭く湾曲した端部領域１６１、１６３付近では比較的小さい値に減少する。図６に示されるように、ニップローラ１６６、１６８は、２つのガラス片３２ａおよび３２ｂの間に、予備積層体１５０を脱気して取り付けるために使用されている。
【００３０】
図７は、図６のウィンドシールド１６０の斜視図を示す。湾曲領域１６１、１６２、１６３および１６４は複合的な湾曲を有する。ウィンドシールド１６０を形成するために使用される脱気／積層およびオートクレーブ工程の間に予備積層体１５０がいくらか縮小すれば、ウィンドシールド１６０を通してしわのない外観を得ることが容易になるであろう。
【００３１】
開示されるフィルムは、好ましくは、可視光透明性の支持体を含む。好ましい支持体は、５５０ｎｍにおいて少なくとも約７０％の可視光透過性を有する。特に好ましい支持体は、ポリエステル（例えば、ＰＥＴ）、ポリアクリレート（例えば、ポリメタクリル酸メチル）、ポリカーボネート、ポリプロピレン、高密度または低密度ポリエチレン、ポリエチレンナフタレート、ポリスルホン、ポリエーテルスルホン、ポリウレタン、ポリアミド、ポリビニルブチラール、ポリ塩化ビニル、ポリ二フッ化ビニリデン、およびポリエチレンスルフィドなどの熱可塑性フィルムと、セルロース誘導体、ポリイミド、ポリイミドベンズオキサゾール、およびポリベンズオキサゾールなどの熱硬化性フィルムとを含む可撓性プラスチック材料である。
【００３２】
また支持体は、「強化されたヒートミラーフィルム」という表題の係属中の米国特許出願第１０／２２２，４７３号明細書に記載されるもののように、少なくとも１つの架橋高分子層および金属または合金層でコーティングされた多層光学フィルム（「ＭＯＦ」）でもよい。ＭＯＦ支持体には、架橋高分子スペーシング層と、少なくとも第２の金属または合金層が備えられ、ＭＯＦ支持体の上にファブリー−ペロースタックを提供する。ファブリー−ペロースタックおよびＭＯＦ支持体は結合して、ファブリー−ペロースタックのみまたはＭＯＦ支持体のみを含有するフィルムと比較して、広範囲の赤外放射の反射を有する赤外線除去フィルムを提供する。ファブリー−ペロー干渉スタックにおける架橋高分子スペーシング層の使用は、金属層に損傷を与えたり、その間隔を変えたりすることなく、フィルムをより容易に方向付け可能にする。ＭＯＦ支持体または完成フィルムを方向付けおよび任意でヒートセットすることによって、非平面状の表面に対するフィルムの適合性を高めることができる。
【００３３】
ＰＥＴおよびＭＯＦで製造される支持体が特に好ましい。好ましくは、支持体は、約０．０１〜約１ｍｍの厚さを有する。
【００３４】
開示されるフィルムは、赤外除去ファブリー−ペロー光学干渉スタックを含む。それぞれのスタックは、第１の金属層、架橋高分子スペーシング層、および第２の金属層を含む。所望される場合には、フィルム中にこのようなスタックが２つ以上存在してもよい。追加のスタックは、便宜上、それまでのスタックの上に追加の架橋高分子層および金属層を配置させて形成することができる。
【００３５】
スタック中の第１の、第２の、および追加の金属層は、互いに同一でもよいし、異なっていてもよい。好ましい金属には、元素の銀、金、銅、ニッケルおよびクロムが含まれ、銀が特に好ましい。また、ステンレス鋼などの合金、もしくは互いのまたは他の金属との混合物中にこれらの金属を含有する分散体も使用することができる。金属層は、同じ厚さを有する必要はない。好ましくは、金属層は連続的であるように十分厚く、フィルムおよびフィルムを含有する物品が、所望の程度の可視光透過性を有することを保証するように十分薄い。好ましくは、金属層の物理的厚さ（光学的厚さに対立するものとして）は約３〜約５０ｎｍであり、更に好ましくは約４〜約１５ｎｍである。通常、第１の金属層は、上記の支持体上に付着させることによって形成される。第１の、第２の、および追加の金属層は、好ましくは、スパッタリング（例えば、カソードまたはプレーナマグネトロンスパッタリング）、蒸発（例えば、抵抗または電子ビーム蒸発）、化学蒸着、めっきなどのフィルムメタライジング技術で使用される技法を用いて施される。
【００３６】
その光学機能に加えて、金属層は、アンテナや電磁遮蔽などのため、およびデフォッグ、デミスト、霜取りまたは除氷などの薄膜加熱用途のために使用することができる。薄膜加熱用途は、かなりの通電能力を必要とし得る。好ましくは、このような薄膜加熱用途では、例えば米国特許第３，５２９，０７４号明細書、同第４，７８２，２１６号明細書、同第４，７８６，７８３号明細書、同第５，３２４，３７４号明細書、および同第５，３３２，８８８号明細書に示されるように、２つ以上のメタライズドフィルム層が母線を用いて互いに並列に電気接続される。「可撓性の導電性フィルム」という表題の係属中の米国特許出願第１０／２２２，４４９号明細書においてより詳細に説明されるように、架橋高分子スペーシング層で隔てられた多数の通電金属層の組み合わせは、湾曲、屈曲、および伸長を受けた場合に、層間剥離または破損に対する耐性が増大されたスタックを提供する。金属層内の非常に小さいスクラッチまたは破損でさえ、フィルムの通電実施形態の早期の故障を引き起こし得る。このような故障は、特にスクラッチまたは破損が金属層を流れる電流の方向に垂直な場合には、ホットスポット形成によることが多い。好ましくは、層は、０．１５Ｗ／ｃｍ2より大きい電力がフィルムにかけられた後に、導電性を保持するであろう。
【００３７】
第１の金属層の平滑性および連続性、ならびにその支持体への接着力は、好ましくは、支持体の適切な前処理によって高められる。好ましい前処理法には、反応性または非反応性雰囲気の存在下における支持体の放電前処理（例えば、プラズマ、グロー放電、コロナ放電、誘電障壁放電または大気圧放電）、化学的前処理、フレーム前処理、もしくは米国特許第３，６０１，４７１号明細書および同第３，６８２，５２８号明細書に記載される酸化物および合金などの核形成層の適用が包含される。これらの前処理は、支持体の表面が次に施される金属層に対して受容的であることを保証するのに役立つ。プラズマ前処理が特に好ましい。更に特に好ましい前処理法には、上記層１３２などの無機または有機ベースコート層で支持体をコーティングし、次に任意で、プラズマ前処理または上記の他の前処理のうちの１つを用いて更に前処理することが包含される。有機ベースコート層、特に架橋アクリレートポリマーに基づくベースコート層が特に好ましい。最も好ましくは、米国特許第４，６９６，７１９号明細書、同第４，７２２，５１５号明細書、同第４，８４２，８９３号明細書、同第４，９５４，３７１号明細書、同第５，０１８，０４８号明細書、同第５，０３２，４６１号明細書、同第５，０９７，８００号明細書、同第５，１２５，１３８号明細書、同第５，４４０，４４６号明細書、同第５，５４７，９０８号明細書、同第６，０４５，８６４号明細書、同第６，２３１，９３９号明細書、および同第６，２１４，４２２号明細書と、公開されたＰＣＴ出願国際公開第００／２６９７３号パンフレットと、Ｄ．Ｇ．ショー（Ｓｈａｗ）およびＭ．Ｇ．ラングロア（Ｌａｎｇｌｏｉｓ）の「紙およびポリマーウェブをコーティングするための新しい蒸着方法」、第６回インターナショナル・バキューム・コーティング・カンファレンス（１９９２年）と、Ｄ．Ｇ．ショーおよびＭ．Ｇ．ラングロアの「アクリレート薄膜を蒸着するための新しい高速方法：最新版」バキューム・コーターズ協会の第３６回アニュアル・テクニカル・カンファレンス予稿集（１９９３年）と、Ｄ．Ｇ．ショーおよびＭ．Ｇ．ラングロアの「メタライズドフィルムのバリヤ特性を改良するための蒸着アクリレートコーティングの使用」、バキューム・コーターズ協会の第３７回アニュアル・テクニカル・カンファレンス予稿集（１９９４年）と、Ｄ．Ｇ．ショー、Ｍ．ローリグ（Ｒｏｅｈｒｉｇ）、Ｍ．Ｇ．ラングロアおよびＣ．シーハン（Ｓｈｅｅｈａｎ）の「ポリエステルおよびポリプロピレンフィルム基材の表面を平滑にするための蒸発アクリレートコーティングの使用」、ラドテック（ＲａｄＴｅｃｈ）（１９９６年）と、Ｊ．アフィニト（Ａｆｆｉｎｉｔｏ）、Ｐ．マーティン（Ｍａｒｔｉｎ）、Ｍ．グロス（Ｇｒｏｓｓ）、Ｃ．コロナド（Ｃｏｒｏｎａｄｏ）およびＥ．グリーンウェル（Ｇｒｅｅｎｗｅｌｌ）の「光学用途のための真空蒸着ポリマー／金属多層フィルム」、シン・ソリッド・フィルムズ（Ｔｈｉｎ  Ｓｏｌｉｄ  Ｆｉｌｍｓ）２７０，４３−４８（１９９５）と、Ｊ．Ｄ．アフィニト、Ｍ．Ｅ．グロス、Ｃ．Ａ．コロナド、Ｇ．Ｌ．グラフ（Ｇｒａｆｆ）、Ｅ．Ｎ．グリーンウェルおよびＰ．Ｍ．マーティン��「ポリマー−酸化物の透明バリヤ層」バキューム・コーターズ協会の第３９回アニュアル・テクニカル・カンファレンス予稿集（１９９６年）とに記載されるように、ベースコート層は、放射線架橋可能なモノマー（例えば、アクリレートモノマー）をフラッシュ蒸発および蒸着させた後、その場で架橋させる（例えば、電子ビーム装置、ＵＶ光源、放電装置またはその他の適切な装置を用いて）ことによって形成される。所望される場合、ロールコーティング（例えば、グラビアロールコーティング）またはスプレーコーティング（例えば、静電スプレーコーティング）などの従来のコーティング方法を用いてベースコート層を施し、例えばＵＶ放射を用いて架橋させることもできる。ベースコート層の所望される化学組成物および厚さは、支持体の性質にある程度依存するであろう。例えば、ＰＥＴ支持体では、ベースコート層は好ましくはアクリレートモノマーから形成され、通常は、わずか数ｎｍから約２マイクロメートルまでの厚さを有するであろう。
【００３８】
ベースコート層に対する第１の金属層の接着力は、ベースコート層中に接着促進または耐食性の添加剤を含有させることによって、更に改善することができる。これは、ベースコート層と第１の金属層との間の界面の表面エネルギーまたは他の関連特性に影響を与え得る。適切な接着促進または耐食性添加剤には、メルカプタン、酸（カルボン酸または有機リン酸など）、トリアゾール、染料および湿潤剤が含まれる。エチレングリコールビス−チオグリコラート（米国特許第４，６４５，７１４号明細書に記載される）は、特に好ましい添加剤である。添加剤は、好ましくは、第１の金属層の過度の酸化または他の劣化を引き起こすことなく、所望の程度に増大した接着力を得るのに十分な量で存在する。
【００３９】
架橋高分子スペーシング層は、第１の金属層の上に位置し、様々な有機材料から形成することができる。好ましくは、スペーシング層は、第１の金属または合金層の上において、その場で架橋される。所望される場合、高分子層は、ロールコーティング（例えば、グラビアロールコーティング）またはスプレーコーティング（例えば、静電スプレーコーティング）などの従来のコーティング方法を用いて施し、次に例えばＵＶ放射を用いて架橋させることができる。最も好ましくは、スペーシング層は、上記のようなモノマーのフラッシュ蒸発、蒸着、および架橋によって形成される。揮発可能な（メタ）アクリレートモノマーはこのような方法で使用するために好ましく、揮発可能なアクリレートモノマーが特に好ましい。好ましい（メタ）アクリレートは、約１５０〜約６００の範囲、更に好ましくは約２００〜約４００の範囲の数平均分子量を有する。その他の好ましい（メタ）アクリレートは、１分子あたりのアクリレート官能基の数に対する分子量の比率の値が、約１５０〜約６００ｇ／モル／メタ（アクリレート）基の範囲であり、より好ましくは、約２００〜約４００ｇ／モル／メタ（アクリレート）基の範囲である。フッ素化（メタ）アクリレートは、より高い分子量範囲または比率、例えば約４００〜約３０００分子量または約４００〜約３０００ｇ／モル／メタ（アクリレート）基で使用することができる。コーティング効率は、支持体を冷却することにより改善され得る。特に好ましいモノマーには多官能性（メタ）アクリレートが含まれ、単独で使用されるか、あるいは、ヘキサンジオールジアクリレート、エトキシエチルアクリレート、フェノキシエチルアクリレート、シアノエチル（モノ）アクリレート、イソボルニルアクリレート、イソボルニルメタクリレート、オクタデシルアクリレート、イソデシルアクリレート、ラウリルアクリレート、ベータ−カルボキシエチルアクリレート、テトラヒドロフルフリルアクリレート、ジニトリルアクリレート、ペンタフルオロフェニルアクリレート、ニトロフェニルアクリレート、２−フェノキシエチルアクリレート、２−フェノキシエチルメタクリレート、２，２，２−トリフルオロメチル（メタ）アクリレート、ジエチレングリコールジアクリレート、トリエチレングリコールジアクリレート、トリエチレングリコールジメタクリレート、トリプロピレングリコールジアクリレート、テトラエチレングリコールジアクリレート、ネオペンチルグリコールジアクリレート、プロポキシル化ネオペンチルグリコールジアクリレート、ポリエチレングリコールジアクリレート、テトラエチレングリコールジアクリレート、ビスフェノールＡエポキシジアクリレート、１，６−へキサンジオールジメタクリレート、トリメチロールプロパントリアクリレート、エトキシル化トリメチロールプロパントリアクリレート、プロピル化トリメチロールプロパントリアクリレート、トリス（２−ヒドロキシエチル）−イソシアヌレートトリアクリレート、ペンタエリスリトールトリアクリレート、フェニルチオエチルアクリレート、ナフトロキシエチルアクリレート、ＵＣＢケミカルズ（ＵＣＢ  Ｃｈｅｍｉｃａｌｓ）からのＩＲＲ−２１４環状ジアクリレート、ラド−キ���ア・コーポレーション（Ｒａｄ−Ｃｕｒｅ  Ｃｏｒｐｏｒａｔｉｏｎ）からのエポキシアクリレートＲＤＸ８００９５、およびこれらの混合物などの他の多官能性または単官能性（メタ）アクリレートと組み合わせて使用される。例えば、ビニルエーテル、ビニルナフチレン、アクリロニトリル、およびこれらの混合物などの様々なその他の硬化可能な材料が、架橋高分子層に含まれ得る。架橋高分子スペーシング層の物理的厚さは、一部はその屈折率に依存し、一部はファブリー−ペロースタックの所望の光学特性に依存する。赤外線除去干渉スタックで使用するために、架橋高分子スペーシング層は、通常約１．３〜約１．７の屈折率を有し、好ましくは約７５〜約２００ｎｍ、更に好ましくは約１００〜約１５０ｎｍの光学的厚さと、それに対応して約５０〜約１３０ｎｍ、更に好ましくは約６５〜約１００ｎｍの物理的厚さとを有するであろう。
【００４０】
光学的なモデリングを用いて、開示される物品の適切な層厚を設計することができる。例えば、ベースコート、架橋高分子スペーシング層およびトップコートがトリプロピレングリコールジアクリレート（屈折率１．４６６２）で製造され、金属層がマグネトロンスパッタリングされた銀（屈折率０．１５４）で製造された５層アクリレート／金属／アクリレート／金属／アクリレートの赤外線除去光学スタックでコーティングされた厚さ５１マイクロメートルのＰＥＴ支持体では、２つの典型的なターゲット構造は、ベースコートからトップコートまでのそれぞれの層の物理的厚さが１２９／１２／１０４／１２／５４ｎｍまたは１１６／１０／１１６／１０／５５ｎｍである。
【００４１】
架橋高分子スペーシング層は、非架橋高分子スペーシング層に勝るいくつかの利点を有する。架橋高分子スペーシング層は、加熱時に非架橋高分子スペーシング層ほど明らかに溶融も軟化もせず、したがって、形成または積層方法中などに温度および圧力の同時的な影響下で、著しく流動、変形または薄くなる可能性が低い。架橋高分子スペーシング層が非常に耐溶媒性であるのに対して、非架橋高分子スペーシング層は、非架橋高分子スペーシング層を形成するために使用されるような溶媒によって、溶解または明らかに軟化され得る。架橋高分子スペーシング層は、ウィンドウ用途ではクリーニング溶液、そして自動車用途ではガソリン、オイル、トランスミッション液などの自動車用流体のように、本発明のフィルムが遭遇し得る液体に対してより大きい耐性を有することができる。また、架橋高分子スペーシング層は、同様のポリマーから製造された非架橋高分子スペーシング層と比べて、より高いモジュラスおよびスチフネス、歪み時のより良い弾性回復、またはより良いレジリエンスなどの望ましい物理特性を有することができる。
【００４２】
スペーシング層の平滑性および連続性ならびに第１の金属層に対するその接着力は、好ましくは、スペーシング層を施す前に第１の金属層の適切な前処理をすることによって、あるいはスペーシング層中に適切な添加剤を含有させることによって高められる。好ましい前処理には上記の支持体の前処理が含まれ、第１の金属層のプラズマ前処理が特に好ましい。スペーシング層のための好ましい添加剤には、上記のベースコート層の添加剤が含まれる。
【００４３】
第２の金属層の平滑性および連続性ならびにスペーシング層に対するその接着力は、好ましくは、第２の金属層を施す前にスペーシング層の適切な前処理をすることによって、あるいはスペーシング層中に適切な添加剤を含有させることによって高められる。好ましい前処理には上記の支持体の前処理が含まれ、スペーシング層のプラズマ前処理が特に好ましい。スペーシング層のための好ましい添加剤には、上記のベースコート層の添加剤が含まれる。
【００４４】
驚くべきことに、上記の前処理のうちの１つまたは両方が用いられる場合、そしてスペーシング層を形成するために使用されるモノマー混合物中に上記のベースコート層添加剤のうちの１つまたは複数が取り込まれる場合には、電流の影響下で、腐食に対する金属層の耐性が顕著に増強されることも発見された。プラズマ処理は好ましい前処理であり、窒素プラズマが特に好ましい。エチレングリコールビス−チオグリコラートは、モノマー混合物中に取り込まれるのに好ましい添加剤である。
【００４５】
所望ならば、第２の金属層の上に、架橋高分子スペーシング層および金属層の追加の対を施すことができる。例えば、３つの金属層または４つの金属層を含有するスタックは、いくつかの用途のために望ましい特性を提供する。それぞれの金属層がその各面に隣接して架橋高分子層を有する２〜４つの金属層を含有するスタックは、特に好ましい。
【００４６】
最上部の金属層は、好ましくは、上記の層１２２などの適切な保護層でオーバーコーティングされる。所望される場合、保護層は、ロールコーティング（例えば、グラビアロールコーティング）またはスプレーコーティング（例えば、静電スプレーコーティング）などの従来のコーティング方法を用いて施され、次に、例えばＵＶ放射を用いて架橋させることができる。最も好ましくは、保護層は、上記のようなモノマーのフラッシュ蒸発、蒸着および架橋によって形成される。揮発可能な（メタ）アクリレートモノマーは、このような保護層で使用するために好ましく、揮発可能なアクリレートモノマーが特に好ましい。開示されるフィルムが保護層または他の表面層を含み、ＰＶＢなどの機械エネルギー吸収材料シートの間に積層される場合、保護層または他の表面層の屈折率は、ＰＶＢとフィルムの間の屈折率の差によって生じる界面での反射を最小限にするように選択することができる。また保護層を後処理して、ＰＶＢなどの機械エネルギー吸収材料に対する保護層の接着力を高めることができる。好ましい後処理には上記の支持体の前処理が含まれ、フィルムの両面のプラズマ後処理が特に好ましい。保護層のための好ましい添加剤には、上記のベースコート層の添加剤が含まれる。
【００４７】
開示されるフィルムを製造するために便宜上使用することができる装置１８０は図８に示される。動力供給されたリール１８１ａおよび１８１ｂは、装置１８０内で支持ウェブ１８２を前後に移動させる。温度制御された回転ドラム１８３ａおよび１８３ｂならびにアイドラー１８４ａ、１８４ｂ、１８４ｃ、１８４ｄおよび１８４ｅはウェブ１８２を運搬して、金属スパッタリングアプリケータ１８５、プラズマ前処理器１８６、モノマー蒸発器１８７、およびＥビーム架橋装置１８８を通過させる。液体モノマー１８９は、リザーバ１９０から蒸発器１８７へ供給される。装置１８０を複数回通過させることによってウェブ１８２に一連の層を施すことができる。酸素、水蒸気、ほこり、およびその他の大気汚染物が、様々な前処理、モノマーコーティング、架橋、およびスパッタリング工程を妨害するのを阻止するために、装置１８０は、適切なチャンバ（図８には図示せず）内に格納し、真空下に保持するか、あるいは適切な不活性雰囲気を供給することができる。
【００４８】
開示される予備積層体は、開示されるフィルムを層１３４などの１つまたは複数の機械エネルギー吸収層に接合させて形成される。機械エネルギー吸収層は、ＰＶＢ、ポリウレタン（「ＰＵＲ」）、ポリ塩化ビニル、ポリビニルアセタール、ポリエチレン、エチレン酢酸ビニル、およびサーリン（ＳＵＲＬＹＮ）TM樹脂（イー・アイ・デュポン・ドゥ・ヌムール・アンド・カンパニー（Ｅ．Ｉ．ｄｕＰｏｎｔ  ｄｅ  Ｎｅｍｏｕｒｓ  ＆  Ｃｏ．））を含む、当業者にはよく知られているであろう様々な材料から製造することができる。ＰＶＢは、機械エネルギー吸収層のために好ましい材料である。機械エネルギー吸収層の厚さは所望される用途に依存し得るが、通常は、約０．３〜約１ｍｍであろう。
【００４９】
開示されるフィルムまたは予備積層体に様々な機能層またはコーティングを追加して、特にフィルムまたは予備積層体の表面において、その物理特性または化学特性を変更または改善することができる。このような層またはコーティングとしては、例えば、フィルムまたは予備積層体の製造方法中の取扱いを容易にするための低摩擦コーティングまたはスリップ粒子と、フィルムまたは予備積層体が別のフィルムまたは表面の次に配置される場合に、フィルムまたは予備積層体に拡散特性を追加するため、あるいはウェットアウトまたはニュートンリングを防止するための粒子と、感圧型接着剤またはホットメルト型接着剤などの接着剤と、隣接層への接着力を増すためのプライマと、フィルムまたは予備積層体が接着ロール形態で使用される場合に使用するための低接着力バックサイズ材料とを挙げることができる。機能層またはコーティングは、例えば国際公開第０１／９６１１５号パンフレットに記載される機能層などの、飛散防止、侵入防止、または破裂−引裂耐性のフィルムおよびコーティングを含有することもできる。追加の機能層またはコーティングは、国際公開第９８／２６９２７号パンフレットおよび米国特許第５，７７３，１０２号明細書に記載されるもののような振動減衰フィルム層と、保護を提供するため、あるいは水または有機溶媒などの液体、もしくは酸素、水蒸気または二酸化炭素などの気体に対するフィルムまたは予備積層体の透過特性を変更するためのバリヤ層とを含むことができる。これらの機能性要素は、フィルムまたは予備積層体の最も外側の層のうちの１つまたは複数の中に取り込まれてもよいし、あるいは、別のフィルムまたはコーティングとして施されてもよい。
【００５０】
いくつかの用途では、フィルムまたは予備積層体へ染色フィルム層を積層させたり、フィルムまたは予備積層体の表面に有色コーティングを施したり、あるいはフィルムまたは予備積層体を製造するために使用される材料のうちの１つまたは複数に染料または顔料を含有させるなどによって、フィルムまたは予備積層体の外観または性能を変更することが望ましいかもしれない。染料または顔料は、赤外線、紫外線または可視スペクトル部分を含む、１つまたは複数の選択されたスペクトル領域を吸収することができる。染料または顔料を使用して、特にフィルムまたは予備積層体がある周波数を透過させるが他の周波数を反射する場合に、フィルムまたは予備積層体の特性を補足することができる。本発明のフィルムまたは予備積層体において使用することができる特に有用な有色層は、国際公開第２００１／５８９８９号パンフレットに記載されている。この層は、フィルムまたは予備積層体上のスキン層として、積層、押出コーティングまたは同時押出することができる。顔料の装填レベルは、約０．０１〜約１．０重量％の間で変化させて、可視光の透過性を所望されるように変化させることができる。また、ＵＶ放射にさらされると不安定かもしれないフィルムの内部層を保護するために、ＵＶ吸収性被覆層の追加が望ましいこともある。
【００５１】
フィルムまたは予備積層体に追加することができる追加の機能層またはコーティングには、例えば、帯電防止コーティングまたはフィルム、難燃剤、ＵＶ安定剤、耐摩耗性またはハードコート材料、光学コーティング、曇り防止材料、磁気または磁気光学コーティングまたはフィルム、液晶パネル、エレクトロクロミックまたはエレクトロルミネセントパネル、写真乳剤、プリズムフィルム、およびホログラフィックフィルムまたはイメージが含まれる。追加の機能層またはコーティングは、例えば、国際公開第９７／０１４４０号パンフレット、同第９９／３６２６２号パンフレットおよび同第９９／３６２４８号パンフレットに記載されている。
【００５２】
フィルムまたは予備積層体は、例えば、製品識別、方向性情報、広告、警告、装飾または他の情報を表示するために使用されるもののように、インクまたは他の印刷表示で処理することができる。例えば、スクリーン印刷、インクジェット印刷、熱転写印刷、活版印刷、オフセット印刷、フレキソ印刷、スティップル印刷、レーザー印刷などの様々な技法を用いてフィルムに印刷をすることができ、一成分および二成分インク、酸化乾燥およびＵＶ乾燥インク、溶解インク、分散インク、ならびに１００％インク系を含む様々なタイプのインクを使用することができる。
【００５３】
開示されるフィルムおよび予備積層体は、広範な種類の基材に接合または積層させることができる。典型的な基材材料には、ガラス（絶縁、強化、積層、アニール、または熱強化されていてもよい）およびプラスチック（ポリカーボネートおよびポリメタクリル酸メチルなど）などのグレージング材料が含まれる。開示されるフィルムおよび予備積層体は、非平面状の基材、特に複合的な湾曲を有する基材に関連して特に有用である。フィルムまたは予備積層体は、好ましくは、積層および脱気方法の間に実質的にクラックや折り目が生じることなく、このような非平面状基材に適合することができる。
【００５４】
開示されるフィルム（またはこのようなフィルムが上に形成され得る支持体）は、フィルムが実質的にしわを生じることなく非平面状基材に適合するのを支援するのに十分な条件下で方向付けされ、任意でヒートセットされ得る。これは、フィルムを積層させる非平面状基材が既知の形状または湾曲を有する場合、特に積層体が既知の厳しい複合的な湾曲を有する場合に特に有用である。各面内方向におけるフィルムまたは支持体の収縮を個々に制御することによって、積層の間に、特にニップロール積層の間に、制御された形でフィルムを収縮させることができる。例えば、フィルムを積層させる非平面状基材が複合的な湾曲を有すれば、各面内方向のフィルムの収縮を合わせて、これらの方向の基材の特定の湾曲特性を一致させることができる。最も大きい収縮を有するフィルムまたは支持体の面内方向は、好ましくは、最も小さい湾曲、すなわち最も大きい曲率半径を有する基材寸法に位置合わせされる。曲率半径に従って湾曲を特徴付けることに加えて、あるいはその代わりに、所望される場合にはその他の尺度（基材の主要表面により画定される幾何学表面から測定される隆起したまたは窪んだ領域の深度など）を使用することもできる。典型的な非平面状基材への積層では、フィルムの収縮は、好ましくは、両方の面内方向において約０．４％よりも大きく、より好ましくは少なくとも１つの面内方向において約０．７％よりも大きく、最も好ましくは少なくとも１つの面内方向において約１％よりも大きい。全体的なフィルムの収縮は、好ましくは、エッジの層間剥離または「引き込み」を低減するように制限される。したがって、フィルムの収縮は、好ましくは各面内方向において約３％よりも小さく、より好ましくは各面内方向において約２．５％よりも小さい。収縮挙動は、主として、使用されるフィルムまたは支持体材料、ならびにフィルムまたは支持体の伸長比、ヒートセット温度、滞留時間およびトーイン（最大レール設定に対して測定される、テンターのヒートセットゾーンにおけるレール間隔の減少）などの因子によって支配され得る。またコーティングは、フィルムの収縮特性を変化させることができる。例えば、プライマコーティングは、横断方向（「ＴＤ」）の収縮を約０．２％〜約０．４％減少させ、機械方向（「ＭＤ」）の収縮を約０．１〜約０．３％増大させることができる。方向付けおよびヒートセット装置は大幅に異なることができ、理想的な方法設定は、通常、それぞれの場合に実験的に決定される。目標の収縮特性を有するＭＯＦ支持体を製造するための技法に関する更なる詳細は、国際公開第０１／９６１０４号パンフレットに記載されている。
【００５５】
上記のように、開示されるフィルムは、初めに、機械エネルギー吸収層（単数または複数）に積層されて予備積層体１４０または１５０などの予備積層体を形成することができ、次に、後で車両用グレージングシート（単数または複数）に積層される。フィルム、機械エネルギー吸収層およびグレージングシートを含有するサンドイッチ構造は、単一の積層工程で組み立てることもできる。いずれの場合でも、各積層工程の間に、種々の層の間から空気を除去しなければならない。一般に、積層の前に、フィルムおよび機械エネルギー吸収層を、最も外側のフィルム層のＴgよりも低い温度にオーブン内で予熱することが好ましいであろう。好ましくは、機械エネルギー吸収層、フィルム、およびグレージングシートの間には、特定のレベルの接着力が確立されるべきである。しかしながら、機械エネルギー吸収層は、好ましくは、最終積層工程が行なわれる前に十分に軟化して流動してはならない。機械エネルギー吸収層は、好ましくは、フィルムが収縮して完成積層体の形状に形成されるように、予備積層体のエッジを定位置に取り付けるのに役立つべきである。可能性のあるフィルム内のしわの発生や、フィルムのエッジにおける層間剥離を回避するために、積層体は、好ましくは、オートクレービングの後、制御された速度で冷却される。脱気は、上記の真空脱気またはニップロール方法を用いて加速することができる。好ましくは、脱気および積層は、１つまたは複数のニップロールを用いて実行される。代表的なニップロール装置は、米国特許第５，０８５，１４１号明細書に示される。その他のこのような装置は、当業者にはよく知られているであろう。
【００５６】
積層に続いて、積層体は、好ましくは、機械エネルギー吸収層およびフィルムをグレージングシートの輪郭に適合させて最終的な積層グレージング物品を形成するのに十分な温度に、オートクレーブ内で加熱される。積層体の種々の層の少なくとも部分的な結合を得るために、積層の間、十分な圧力も加えられるべきである。ＰＶＢを含有する積層体では、約１３８℃〜約１５０℃の温度および約０．５〜１．５ＭＰａの圧力が典型的である。熱および圧力は機械エネルギー吸収層を流動させて広げ、最小限の時間内で残留空気を除去しながら（あるいは、ＰＶＢ中に溶解させながら）、間隙を充満し、均一なサンドイッチ構造を形成し、積層体の層を互いに強固に結合させる。オートクレーブサイクルは、製造業者によって大きく変わり得るが、典型的な１つのオートクレーブサイクルは、（ａ）周囲温度および圧力から約９３℃および約０．５５ＭＰａまで、約１５分以内で温度および圧力を上昇させることと、（ｂ）約４０分以内で、圧力を約０．５５ＭＰａに維持しながら温度を約１４３℃まで上昇させることと、（ｃ）約１０分以内で、温度を約１４３℃に維持しながら圧力を約１．３８ＭＰａまで上昇させることと、（ｄ）最大温度および圧力を約２０分間維持することと、（ｅ）約１５分以内で、温度および圧力を約３８℃および約１ＭＰａまで低下させることと、（ｆ）圧力を約４分以内で周囲圧力まで低下させることとを含む。全オートクレーブサイクルは、通常、約６０分〜約１２０分である。
【００５７】
また、開示されるフィルムは、例えば、米国特許第４，７９９，７４５号明細書に記載されるグレージング物品などの建築用グレージングにおいても使用することができる。このようなグレージング物品を製造する方法は、当業者には明らかであろう。例えば、有用な建築用グレージング物品は、米国特許第４，７９９，７４５号明細書のスペーシング層１８を架橋高分子スペーシング層で置き換えて製造することができる。完成グレージング物品は、好ましくは光学的に透明である。図９は、基材１９２と、スペーシング層１９５で隔てられた第１および第２の金属層１９４および１９６を含有するファブリー−ペロースタック１９３とを含むフィルム１９１を示す。フィルム１９１は、感圧型接着剤層１９７を用いてガラスシート１９８に接合される。
【００５８】
開示されるフィルムは、スパッタコーティングされる無機誘電層、または溶媒塗布される非架橋高分子誘電層を用いて製造されるフィルムよりもはるかに迅速に製造することができる。後者の２つの方法では、誘電層の付着工程が律速因子であるのに対して、開示される方法は誘電層のはるかに迅速な付着を可能にする。更に、開示される方法は、コーティング工程の間にフィルムを取り出すことなく単一のチャンバ内で実行できるのに対して、報告された溶媒塗布による非架橋誘電層は、金属層の付着が行なわれたチャンバの外側で形成されているようである。
【００５９】
以下の試験を用いて開示されるフィルムを評価した。
【００６０】
腐食試験
幅２５．４ｍｍ×長さ約２５４〜３０５ｍｍの２つの細長片を、フィルムサンプルの中央から切り取った。室温で２０％のＫＣｌ溶液を含有するビンの中に、各細長片の約１５０〜２００ｍｍが塩溶液に浸漬されるように細長片を置いた。ビンの蓋をビンにねじ込み、塩溶液が蒸発するのを防止した。１５分間浸漬した後で細長片を取り出し、支持体面を下にして乾燥ペーパータオルの上に置き、細長片の幅に沿ってティッシュまたはペーパータオルで拭き取った。拭き取りの間、中程度の圧力をかけた。次に細長片を冷水で洗浄して、表面から塩を除去し、フィルム表面の外観を観察した。外観の等級は、細長片の拭き取り後に除去された金属層の量の視覚的な評価に基づき、元の金属層面積の割合で表した。
【００６１】
接着試験
幅約２５４ｍｍ×長さ約２５４ｍｍの四角形をフィルムサンプルの中央から切り取った。マスキングテープおよびフィラメントテープの幅２５．４ｍｍ×長さ１７８ｍｍの片をＭＤおよびＴＤ方向でフィルムに貼付し、２．３ｋｇローラで押圧し、次に１週間室温でエージングした。接着試験の等級は、テープを剥がした後に残存する金属層の量の視覚的な評価に基づき、元の金属層面積の割合で表した。
【００６２】
導電率対歪み試験
フィルムが導電しなくなるときのパーセント歪みを決定するために、サインテク（ＳＩＮＴＥＣＨ）TM２００／Ｓ引張り試験機（インストロン社（Ｉｎｓｔｒｏｎ  Ｃｏｒｐ．））を用いてフィルムを伸長した。幅２５．４ｍｍ×長さ約２００ｍｍの細長片をフィルムサンプルの中央から切り取った。細長片の狭いほうの端部の両側に、Ｎｏ．２２−２０１銀ペイント（ケイティ・カンパニー（Ｋａｔｙ  Ｃｏｍｐａｎｙ））でペイントした。銀ペイントが乾燥したら、ペイントされたエッジの上に銅を覆い、細長片の各端部に耐久性の電極を形成した。作製された細長片を引張り試験機のジョー（ｊａｗ）内に固定し、ワニ口クリップを用いて電源を銅電極に接続した。１０１．６ｍｍのゲージ長および２５．４ｍｍ／分のクロスヘッド速度を用いながら、細長片に４ボルトの定電圧を供給し、電流を測定して％歪みに対して記録した。
【００６３】
シート抵抗試験
非接触の導電率測定装置（デルコム・インストルメンツ社（Ｄｅｌｃｏｍ  Ｉｎｓｔｒｕｍｅｎｔｓ  Ｉｎｃ．）モデル７１７Ｂベンチトップ・コンダクタンス・モニター）を用いて、シート抵抗についてフィルムを評価した。
【００６４】
太陽熱利得係数および遮光係数
値Ｔｅは、試験片により透過される２５０ｎｍ〜２５００ｎｍの太陽エネルギーを、全入射太陽エネルギーで除した比率（パーセントで表される）と定義される。値Ａｅは、試験片により吸収される２５０ｎｍ〜２５００ｎｍの太陽エネルギーを、全入射太陽エネルギーで除した比率（パーセントで表される）と定義される。太陽特性は、空気質量１．５を用いるＡＳＴＭ  Ｅ８９１からの太陽放射照度データを用いて計算される。太陽熱利得係数（ＳＨＧＣ）は、次のように計算される。
ＳＨＧＣ＝Ｔｅ＋０．２７（Ａｅ）
遮光係数（ＳＣ）は、標準厚さの３．２ｍｍのウィンドウガラスの単一面による太陽熱利得係数に対する、所与グレージングによる太陽熱利得係数の比率と定義され、次のように計算される。
ＳＣ＝ＳＨＧＣ／８７．０
【実施例】
【００６５】
本発明は、以下の非限定的な実施例を参照して、ここで説明される。別に表示されない限り、全ての割合および百分率は重量によるものである。
【００６６】
実施例１
（層１）厚さ０．０５ｍｍ×幅５０８ｍｍのＰＥＴ支持体（デュポン帝人フィルム（ＤｕＰｏｎｔ  Ｔｅｉｊｉｎ  Ｆｉｌｍｓ）の４５３メリネックス（ＭＥＬＩＮＥＸ）TM）の長さ約３００メートルのロールを、図８に示されるようなロールツーロール型の真空チャンバ内に搭載した。真空チャンバ内の圧力は３×１０-4トルに低下させた。３６．６ｍ／分のウェブ速度で、支持体を同時にプラズマ前処理およびアクリレートコーティングした。プラズマ前処理は、７０ｓｃｃｍの窒素ガス流の窒素雰囲気下で、クロムターゲットと、１５００ワット電力（４２９ボルトおよび３．５アンペア）で動作される非平衡ｄｃマグネトロンとを用いた。アクリレートコーティングはＩＲＲ２１４アクリレート（ＵＣＢケミカルズ）およびラウリルアクリレートの５０：５０混合物を用い、液体モノマー混合物の容器をベルジャー内に置き、約１ミリトルに減圧することによって１時間脱気した。脱気したモノマーを、超音波噴霧器により２７４℃に保持した蒸発チャンバ内へ２．３５ｍｌ／分の流速でポンプ注入した。−１８℃のドラム温度を用いてモノマー蒸気を移動ウェブ上に凝縮させ、７．５９ｋＶおよび２．０ミリアンペアで動作される単一のフィラメントガンを用いて電子ビーム架橋させた。
【００６７】
（層２）ウェブ方向を反転させた。再度３６．６ｍ／分で動作させ、アクリレート表面をプラズマ処理し、マグネトロンスパッタ銀でコーティングした。プラズマ前処理は前述のとおりであるが、４１３ボルトおよび３．６４アンペアで行なった。１０，０００ワット電力（５９０ボルトおよび１６．９６アンペア）、ドラム温度２５℃、および９０ｓｃｃｍのアルゴンガス流のアルゴン雰囲気で、銀をスパッタリングした。
【００６８】
（層３）ウェブ方向を再度反転させた。再度３６．６ｍ／分で動作させ、上記のモノマー混合物を用いて架橋スペーシング層を形成したが、モノマー蒸着の前に銀表面のプラズマ前処理は行なわなかった。−１７℃のドラム温度、および上記の他のモノマー蒸着条件を用いて、モノマー蒸気を移動ウェブ上に凝縮させ、７．８ｋＶおよび３．８ミリアンペアで動作される単一のフィラメントガンを用いて電子ビーム架橋させた。
【００６９】
（層４）ウェブ方向を再度反転させた。再度３６．６ｍ／分で動作させ、架橋スペーシング層をプラズマ前処理し、マグネトロンスパッタ銀でコーティングした。プラズマ前処理は前述のとおりであるが、４２９ボルトおよび３．５アンペアを用いた。前述のとおりに銀をスパッタリングしたが、５９０ボルト、１６．９４アンペア、および２２℃のドラム温度で行なった。
【００７０】
（層５）ウェブ方向を再度反転させた。上記のモノマー混合物を用いて保護層を形成したが、モノマー蒸着の前に銀表面のプラズマ前処理は行なわなかった。−１７℃のドラム温度、および上記の他のモノマー蒸着条件を用いて、モノマー蒸気を移動ウェブ上に凝縮させ、１０．１１ｋＶおよび３．８ミリアンペアで動作される単一のフィラメントガンを用いて電子ビーム架橋させた。
【００７１】
得られた５層アクリレート／Ａｇ／アクリレート／Ａｇ／アクリレートの赤外線除去光学スタックの光学特性は、図１０に示される。曲線ＴおよびＲはそれぞれ、完成フィルムの透過性および反射性を示す。光学的モデリングを用い、銀のブラッガーマン（Ｂｒｕｇｇｅｒｍａｎ）密度を０．９７と仮定して、計算された５層の厚さは、１２０ｎｍ（アクリレート層１）／１２ｎｍ（Ａｇ層２）／８５ｎｍ（アクリレート層３）／１２ｎｍ（Ａｇ層４）／１２０ｎｍ（アクリレート層５）であった。
【００７２】
実施例２
実施例１の方法を用いて、ＰＥＴ支持体を５層アクリレート／Ａｇ／アクリレート／Ａｇ／アクリレート光学スタックで被覆したが、金属層の上部および底部の両方においてプラズマ前処理を用いた。個々の層の違いは次のとおりである。
【００７３】
（層１）支持体のプラズマ前処理は上記のとおりであるが、１０００ワット電力（４０２ボルトおよび２．５アンペア）および１０２ｓｃｃｍの窒素ガス流で行なった。モノマー流速は２．４５ｍｌ／分であり、蒸発チャンバ温度は２７６℃であった。−２１℃のドラム温度を用いてモノマー蒸気を移動ウェブ上に凝縮させた。電子ビームフィラメントは、８．０ｋＶおよび６．５ミリアンペアで動作させた。
【００７４】
（層２）プラズマ前処理は、１０００ワット電力（３０９ボルトおよび３．３４アンペア）および９０ｓｃｃｍの窒素ガス流で行なった。５７０ボルトおよび１７．８８アンペア、ドラム温度２１℃、ならびにアルゴンガス流９３．２ｓｃｃｍで銀をスパッタリングした。
【００７５】
（層３）スペーシング層の蒸着の前に、銀表面をプラズマ前処理した。プラズマ前処理はクロムターゲットおよび１０００ワット電力（３０８ボルトおよび３．３３アンペア）を用いた。−２３℃のドラム温度を用いてモノマー蒸気を移動ウェブ上に凝縮させ、８．０ｋＶおよび６．０ミリアンペアで動作される単一のフィラメントガンを用いて電子ビーム架橋させた。
【００７６】
（層４）プラズマ前処理は、３１６ボルトおよび３．２２アンペアで行ない、窒素ガスの流速は９０ｓｃｃｍであった。５６７ボルトおよび１７．６６アンペア、ドラム温度２０℃、ならびにアルゴンガス流９５．５ｓｃｃｍで銀をスパッタリングした。
【００７７】
（層５）保護層の蒸着前に銀表面をプラズマ前処理した。プラズマ前処理は層３の場合と同じであった。−２３℃のドラム温度を用いて、モノマー蒸気を移動ウェブ上に凝縮させ、８．０ｋＶおよび６．２ミリアンペアで動作される単一のフィラメントガンを用いて電子ビーム架橋させた。
【００７８】
得られた５層アクリレート／Ａｇ／アクリレート／Ａｇ／アクリレートの赤外線除去光学スタックの光学特性は、図１１に示される。曲線ＴおよびＲはそれぞれ、完成フィルムの透過性および反射性を示す。光学的モデリングを用い、銀のブラッガーマン（Ｂｒｕｇｇｅｒｍａｎ）密度を０．９７と仮定して、５層の計算された厚さは、１２０ｎｍ（アクリレート層１）／９ｎｍ（Ａｇ層２）／９５ｎｍ（アクリレート層３）／９ｎｍ（Ａｇ層４）／１２０ｎｍ（アクリレート層５）であった。
【００７９】
実施例３〜５
実施例２の方法を用いて、５層アクリレート／Ａｇ／アクリレート／Ａｇ／アクリレート赤外線除去光学スタックをＰＥＴ支持体上に形成した。外観、透過性（透過−光Ｙ（Ｔｒａｎｓ−Ｌｕｍｉｎｏｕｓ  Ｙ）（Ｔvis））、反射性（反射−光Ｙ）（Ｒｅｆｌ−Ｌｕｍｉｎｏｕｓ  Ｙ）、太陽熱利得係数、遮光係数、および耐食性について、得られたフィルムを評価した。処理条件および評価結果は、実施例１および２のフィルムの結果と共に、以下の表１に示される。
【００８０】
【表１】
2005535475.tif 000003
【００８１】
表１の結果は、開示されるフィルムが顕著な赤外線除去を提供したことを示す。また、銀層の両面におけるプラズマ前処理の使用は、銀層の一面のみにおけるプラズマ前処理よりもはるかに優れた耐食性をもたらした。
【００８２】
実施例６〜９
実施例３〜５の方法を用いて、様々な厚さのアクリレート層を有する５層アクリレート／Ａｇ／アクリレート／Ａｇ／アクリレート赤外線除去光学スタックを、ＰＥＴ支持体上に形成した。外観、透過性、反射性、太陽熱利得係数、遮光係数およびシート抵抗率について、得られたフィルムを評価した。処理条件および評価結果は、実施例５のフィルムの結果と共に、以下の表２に示される。
【００８３】
【表２】
2005535475.tif 000004
【００８４】
表２の結果は、様々なモノマー供給速度を用いて、架橋高分子スペーシング層の厚さを変更することを示す。変更は、測定されるＴvisに影響を与えた。７２％という高いＴvisおよび４．４オーム／スクエアという低いシート抵抗を有するフィルムが得られた。
【００８５】
実施例１０〜１２
実施例３〜５の方法を用いて、様々な厚さの銀層を有する５層アクリレート／Ａｇ／アクリレート／Ａｇ／アクリレート赤外線除去光学スタックを、ＰＥＴ支持体上に形成した。外観、透過性、反射性、太陽熱利得係数、遮光係数およびシート抵抗率について、得られたフィルムを評価した。処理条件および評価結果は、以下の表３に示される。
【００８６】
【表３】
2005535475.tif 000005
【００８７】
表３の結果は、様々なライン速度を用いて、金属層の厚さを変更することを示す。７２％という高いＴvisおよび３．９オーム／スクエアという低いシート抵抗を有するフィルムが得られた。また、実施例１１および１２のそれぞれのフィルムの２つのサンプルは、導電率対歪み試験を用いて評価した。結果は図１２および図１３にそれぞれ示される。全てのフィルムサンプルは、５０％以上までの歪みにおいて電流を伝導した。図１２および図１３の結果は、開示されるフィルムが透明歪みゲージとして使用され得ることも実証する。
【００８８】
比較例１
導電率対歪み試験を用いて、透明銀層および酸化インジウム無機誘電体（サウスウォール・テクノロジーズ社（Ｓｏｕｔｈｗａｌｌ  Ｔｅｃｈｎｏｌｏｇｉｅｓ  Ｉｎｃ．）のＸＩＲTM７５フィルム）に基づく市販の製品を評価した。サンプルは、わずか１％の歪みを受けると故障した。
【００８９】
実施例１３〜１８
実施例３〜５の方法を用いて、ＰＥＴ支持体（実施例１３〜１６）または複屈折多層光学フィルム支持体（３ＭTM熱線反射フィルムＮｏ．４１−４４００−０１４６−３、実施例１７〜１８）上に、様々な厚さの保護トップコートおよび任意のトップコートプラズマ後処理を有する５層アクリレート／Ａｇ／アクリレート／Ａｇ／アクリレート赤外線除去光学スタックを形成した。外観、透過性、反射性、太陽熱利得係数、遮光係数およびシート抵抗率について、得られたフィルムを評価した。処理条件および評価結果は、以下の表４に示される。
【００９０】
【表４】
2005535475.tif 000006
【００９１】
表４の結果は、２つの異なる基材の使用を示し、保護トップコートの厚さおよびトップコートの任意のプラズマ後処理を変更した。約７３％という高いＴvis、および３．９オーム／スクエアという低いシート抵抗を有するフィルムが得られた。また実施例１８のフィルムの２つのサンプルは、導電率対歪み試験を用いて評価した。結果は図１４に示される。いずれのフィルムサンプルも、５０％以上までの歪みにおいて電流を伝導した。
【００９２】
実施例１９
厚さ０．３８ｍｍの２つのセーフレックス（ＳＡＦＬＥＸ）TMＩＩＩＧグレードＡＲのＰＶＢシート（ソルーシア社（Ｓｏｌｕｔｉａ，Ｉｎｃ．））の間に、幅５０８ｍｍの実施例６の２つのフィルム片を隣り合わせに配置した。得られたサンドイッチ構造を、複合的に湾曲したコーナーを有するＮｏ．ＤＷ１２２４クライスラー（Ｃｈｒｙｓｌｅｒ）のミニバンウィンドシールドの内側および外側のガラスシートの間に配置した。得られた積層体アセンブリを、真空脱気リングを用いて脱気し、次にオートクレーブ処理して、光学的に透明なウィンドシールドアセンブリを形成した。アセンブリは、２つのフィルムサンプルの間の継ぎ目を除いて、目視検査の決定では欠陥がなかった。より幅広にコーティングされたフィルムサンプルの使用により、継ぎ目は除去され得る。
【００９３】
実施例２０
実施例２の方法を用いて、ＰＥＴ支持体を５層アクリレート／Ａｇ／アクリレート／Ａｇ／アクリレート光学スタックで被覆したが、金属層の上部および底部の両方においてプラズマ前処理を用いた。個々の層の違いは次のとおりである。
【００９４】
（層１）支持体のプラズマ前処理は１０００ワット電力で行なったが、３２２ボルト、３．１５アンペア、および窒素ガス流７０ｓｃｃｍを用いた。モノマー流速は２．６５ｍｌ／分であり、蒸発チャンバ温度は２７４℃であった。モノマー蒸気を−２０℃のドラム温度を用いて移動ウェブ上に凝縮させた。電子ビームフィラメントを８．０４ｋＶおよび５．７ミリアンペアで動作させた。
【００９５】
（層２）プラズマ前処理は１０００ワット電力で行なったが、３７８ボルト、３．０９アンペア、および窒素ガス流７０ｓｃｃｍを用いた。５４７ボルト、１８．３６アンペア、ドラム温度２６℃、およびアルゴンガス流７０ｓｃｃｍで銀をスパッタリングした。
【００９６】
（層３）プラズマ前処理は１０００ワット電力で行なったが、３２７ボルトおよび３．１アンペアを用いた。モノマー蒸気を−１９℃のドラム温度を用いて移動ウェブ上に凝縮させた。電子ビームフィラメントを８．０４ｋＶおよび６．３ミリアンペアで動作させた。
【００９７】
（層４）プラズマ前処理は１０００ワット電力で行なったが、３２８ボルト、３．０７アンペア、および窒素ガス流速７０ｓｃｃｍを用いた。５４６ボルト、１８．３４アンペア、ドラム温度２８℃、およびアルゴンガス流７０ｓｃｃｍで銀をスパッタリングした。
【００９８】
（層５）プラズマ前処理は１０００ワット電力で行なったが、３５９ボルトおよび２．８２アンペアを用いた。モノマー蒸気を−１８℃のドラム温度を用いて移動ウェブ上に凝縮させた。電子ビームフィラメントを８．０４ｋＶおよび４．６ミリアンペアで動作させた。
【００９９】
得られた５層アクリレート／Ａｇ／アクリレート／Ａｇ／アクリレートの赤外線除去光学スタックの光学特性は、図１５に示される。曲線ＴおよびＲはそれぞれ、完成フィルムの透過性および反射性を示す。フィルムは７１．５％のＴvisを有した。次にフィルムを３０．５ｃｍ×２．５４ｃｍの細長片に切断した。エッジを銀の導電性ペイント（ジー・シー・トーセン社（Ｇ．Ｃ．Ｔｈｏｒｓｅｎ  Ｉｎｃ．）のシルバー・プリント（ＳＩＬＶＥＲ  ＰＲＩＮＴ）TM）でペイントした。細長片の狭い方の対向端部のそれぞれの上に２．５４ｃｍ×２．５４ｃｍの銅箔を覆い、ワニ口クリップを備えた試験導線を用いて、０〜２０ボルト電源（ヒューレット・パッカード社（Ｈｅｗｌｅｔｔ  Ｐａｃｋａｒｄ，Ｉｎｃ．）のモデル６２５３ＡデュアルＤＣ）に接続した。細長片に電圧を印加し、電流および細長片の温度を時間の関数として測定した。細長片温度が上昇しなくなったら、より高い電圧を印加した。結果は以下の表５に示される。
【０１００】
【表５】
2005535475.tif 000007
【０１０１】
表５の結果は、フィルムが、回路の故障を起こすことなく、非常に高い電力密度および非常に高い温度に耐え得ることを示す。細長片を冷却させ、次に細長片に１６ボルトを印加した結果、０．２７アンペアの電流が測定された。フィルムは触ると温かくなった。次に、カウンタートップのエッジ上でフィルムを４５°の角度に曲げ、次に９０°の角度に曲げた。フィルムは触るとまだ温かく感じられ、電流は０．２７アンペアのままであった。次にフィルムを１８０°の角度に曲げた。サンプルは触るとまだ温かく感じられ、電流は０．２７アンペアのままであった。クラッキングが生じていれば、フィルム内にホットスポットが生じており、実質的な電流変化（あるいは、電流の完全な中断）が観察されたであろう。
【０１０２】
比較例２
実施例２０の電圧印加法を用いて、ＸＩＲTM７５フィルム（サウスウォール・テクノロジーズ社）のサンプルに電力を供給し加熱した。２４ボルトをかけるか、曲げると、サンプルは故障した。結果は以下の表６に示される。
【０１０３】
【表６】
2005535475.tif 000008
【０１０４】
表６の結果は、比較フィルムが電気的に加熱され得ることを示す。しかしながら、電圧が２４ボルトに増大されると、フィルムは故障した。これは、酸化インジウム層のクラッキングによると確信された。比較フィルムの別のサンプルは、１６ボルトの印加電圧を用いて電気的に加熱し、その結果０．２３５アンペアの電流が測定された。比較フィルムは触ると温かくなった。比較フィルムをカウンタートップのエッジ上で４５°の角度に曲げると、フィルムは故障した。光学顕微鏡を用いて、コーティング中にクラックが観察された。
【０１０５】
実施例２１
シート抵抗４．２オーム／スクエアを有する実施例１１のフィルムの３０４ｍｍ×３０４ｍｍサンプルは、両方の金属層がエネルギー供給されるように、母線に電気的に接続させた。２つの２ｍｍガラスシート間に配置された２つの０．０５ｍｍ厚さのＰＶＢシートから製造されるサンドイッチ構造の中心に、フィルムサンプルを積層した。母線と母線の抵抗は４．０６オームであった。母線に１６．５ボルトの電位をかけ、その結果、４．０６アンペアの電流および２９９Ｗ／ｍｍ2の印加電力密度が生じた。電圧をかけて７分以内に、ガラスの表面温度は２０℃上昇した。結果は、３つの他の印加電力密度において表面温度を２０℃上昇させるのに必要な時間と共に、以下の表７に示される。
【０１０６】
【表７】
2005535475.tif 000009
【０１０７】
４２ボルトの電源を用いると、これらの時間は、平均サイズ、すなわち典型的な車用ウィンドシールドでは約０．９ｍ×約１．５ｍ、典型的なスポーツ多目的車用ウィンドシールドでは約０．８８ｍ×約１．６６ｍのウィンドシールドにおいて有用な除氷性能を提供するであろう。
【０１０８】
実施例２２
開示されるフィルムのいくつかに、フィルムの片面または両面において任意のプラズマ後処理を施し、次に実施例２１の方法を用いてガラスシートの間に積層させた。積層体を評価して、その圧縮せん断強度を決定した。試験すべきフィルムを１″×１″の四角形に切断した。四角形のフィルムを１″×１″の標準５層ウィンドウガラス積層構造（ガラス−ＰＶＢ−フィルム−ＰＶＢ−ガラス）内に積層させた。インストロン（Ｉｎｓｔｒｏｎ）機械試験機に特別な器具を取り付けた。器具は、中実の機械金属の２″直径の円筒から、中心軸に対して４５度の角度の平面で円筒形を切断することによって作製した。器具のそれぞれの半分部分の４５度の平坦面の上において、積層体で使用されるガラスの厚さのほぼ半分の深さに、凹部をエンドミル加工した。各凹部は、１″×１″のサンプルをぴったり受け入れるようにミル加工した。サンプルが凹部にはめ込まれた器具の２つの半分部分を組み立てて、インストロンに取り付けた。０．１インチ／分のクロスヘッド速度で、インストロンを圧縮モードで動作させた。このようにして、４５度の圧縮せん断に対するサンプルの力応答が測定される。通常、記録される力は、突然のサンプルの故障まで、単調に上昇する。サンプルが故障する前に測定される最大の力を単位サンプル面積で除して、圧縮せん断強度として報告した。以下の表８には、フィルムの実施例番号、スタックの最上層の上または支持体の下面のプラズマ後処理の有無、測定された圧縮せん断強度が示される。
【０１０９】
【表８】
2005535475.tif 000010
【０１１０】
実施例２３
実施例２の方法を用いて（しかし、層４を施すために９０ｓｃｃｍのアルゴン流速を用いて）、０．０６％のカーボンブラック粒子を含有する０．１ｍｍ厚さの有色支持体フィルム上に、５層アクリレート／Ａｇ／アクリレート／Ａｇ／アクリレート赤外線除去光学スタックを作製した。図１６において、曲線ＴｕおよびＲｕはそれぞれ、コーティングされていない有色支持体フィルムの透過性および反射性を示し、曲線ＴｃおよびＲｃはそれぞれ、コーティングされた有色支持体フィルムの透過性および反射性を示す。図１６に示されるように、コーティングを施すことによって、フィルムは高度に赤外線反射性になる。
【０１１１】
本発明の様々な修正および変更は、本発明から逸脱することなく当業者には明らかであろう。本発明は、説明の目的だけで本明細書中に示されたものに限定されてはならない。
【図面の簡単な説明】
【０１１２】
【図１Ａ】従来技術の予備積層構造の略示断面図である。
【図１Ｂ】従来技術の車両用安全グレージング積層体の略示断面図である。
【図２】開示されたフィルムの略示断面図である。
【図３】開示された別のフィルムの略示断面図である。
【図４】開示された予備積層体の略示断面図である。
【図５】別の予備積層体の略示断面図である。
【図６】開示されたウィンドシールドの略示断面図である。
【図７】図６のウィンドシールドの斜視図である。
【図８】開示された方法を実行するための装置の概略図である。
【図９】建築用グレージングの略示断面図である。
【図１０】開示された２つのフィルムの透過率および反射率を示すグラフである。
【図１１】開示された２つのフィルムの透過率および反射率を示すグラフである。
【図１２】開示された３つのフィルムのコンダクタンス対歪みを示すグラフである。
【図１３】開示された３つのフィルムのコンダクタンス対歪みを示すグラフである。
【図１４】開示された３つのフィルムのコンダクタンス対歪みを示すグラフである。
【図１５】開示された２つのフィルムの透過率および反射率を示すグラフである。
【図１６】開示された２つのフィルムの透過率および反射率を示すグラフである。
【図１Ａ】
2005535475.tif 000011
【図１Ｂ】
2005535475.tif 000012
【図２】
2005535475.tif 000013
【図３】
2005535475.tif 000014
【図４】
2005535475.tif 000015
【図５】
2005535475.tif 000016
【図６】
2005535475.tif 000017
【図７】
2005535475.tif 000018
【図８】
2005535475.tif 000019
【図９】
2005535475.tif 000020
【図１０】
2005535475.tif 000021
【図１１】
2005535475.tif 000022
【図１２】
2005535475.tif 000023
【図１３】
2005535475.tif 000024
【図１４】
2005535475.tif 000025
【図１５】
2005535475.tif 000026
【図１６】
2005535475.tif 000027
【国際調査報告】
2005535475.tif 000028
2005535475.tif 000029
2005535475.tif 000030